(57)【要約】      （修正有）【課題】ベランダに天日干しする寝具類等に粉塵等の付着もなく、付着したダニやシラミ等の小さな虫を排除することが出来る寝具類天日干し用物干しを提供する。【解決手段】寝具類天日干用物干し１００はベランダの立ち上り部４ｂ’の頂面に乗って固定される細板状で間隔を介して配設される複数のつなぎ板２とこの上に固定される押え板とこれ等のコーナ部を覆ってベランダの長手方向に伸延して配設されるカバー体１とからなり、寝具類等７はこのカバー体１の上にかけられる。そのため、寝具類等７はベランダの立ち上り部４ｂ’から離れて天日干しされる。【選択図】図１
0003188720.tif 000002
【実用新案登録請求の範囲】
【請求項１】
住宅等のベランダに寝具等を天日干しする為の前記寝具等と前記ベランダ立ち上がり壁との接触を防止して汚れを防ぎ、付着したダニやシラミ類等を排除し、かつ使い勝手の良い形状の物干しであって、該物干しは、ベランダの立ち上り部の頂面に間隔を介して複数個配置されるつなぎ板と、該つなぎ板上に固定され該つなぎ板より長目の押え板と、前記つなぎ板及び前記押え板のコーナ側を覆って前記押え板に固定され前記立ち上り部の長手方向に沿って配置される略コノ字形状のカバー体とからなり、前記つなぎ板は、前記立ち上り部の前面に弾力性のある素材（例えばゴム）後面に留め具により固定されるものからなることを特徴とする寝具類天日干し用物干し。
【請求項２】
前記つなぎ板や押え板を細幅にし、前記たち上がり部に立設する手摺りの支柱に干渉しない様にし、また、異なった形状のベランダにも使用でき、着脱可能にした構造の寸法のものからなることを特徴とする請求項１に記載の寝具類天日干用物干し。
【請求項３】
前記カバー体はそのコーナ部をＲ形状に形成し寝具類の上げ下げが円滑に出来、寝具類の損傷やキズを防止する事を特徴とする請求項１に記載の寝具類天日干用物干し。
【考案の詳細な説明】
【技術分野】
【０００１】
本考案は、住宅等のベランダに寝具類を天日干しするに使用する物干しであって、天日干しされる寝具等への汚れの付着を防止、付着したダニやシラミ類等の排除ができ、着脱可能で取り扱い易く比較的安価に実施出来る寝具類天日干用物干しに関する。
【背景技術】
【０００２】
従来、住宅は平屋建てか２階建てが中心であり、しかも庭付の家が多かった。そのため、庭に寝具や布団を干すスペースが有り大きい寝具布団等なども天日干しする事が出来た、しかし戦後土地の高騰もあり集合住宅や庭のない２階から４階建ての住宅が氾濫しこれらの住宅は寝具などを干すといえば限られた空間しかなく、時々ベランダから干しているのが見られるくらいであった。
しかしながら、上記には夫々次の様な課題があり、解決を迫られていた。
（１）  集合住宅、建売住宅、アパート等においては、寝具類を干すスペースが無く止むを得ずベ
ランダに広げて天日干しをしている。
（２）  ベランダには立ち上り壁があり壁には無数の粉塵が付着し布団類を干す時は内、外側の壁即ち、コンクリートを一度拭き掃除をしてから干さないと図９や図１０に示すように、細かな粉塵類が寝具類に付着して寝具類が汚れてしまう問題点がある。
（３）  ベランダの立ち上りコンクリート壁が高く約１，２００ｍｍ以上あり内側はともかく外面を拭く事は困難であった。そのため、やむをえず普段使用しない大きな布を下に敷き、その上に寝具類を干し、後で下に敷いた大きな布を再度洗濯していた。
（４）  多くのベランダの構造は、コストや建築基準法との兼ね合いもあり出来るだけ簡素に建てるため、図６乃至図８に示すように統一されないで建築されている。手摺の有るとこでは手摺に掛けて布団を干すことが出来るが、図９乃至図１０に示すようにコンクリートの壁に布団が触り汚れてしまう事と寝具類の生地が傷む事が主婦の悩みの種であった。
（５）  従来、建築済の集合住宅、建売住宅は、ベランダ自身がコンクリートで出来ているため、大規模な改造工事はコストの関係もあり放棄されていた。
（６）  その他以下の様な問題があり、問題を解決する事が出来なかった。
ａ）壁がコンクリートやコンクリート類似品等（例えば、タイル等）で出来ているため、外側の壁に手が届かず拭き掃除が出来なかった。
ｂ）コンクリート上部に高さ約１２０ｍｍ〜１５０ｍｍの丸パイプや角パイプの手すりがあり、身を乗り出して外側のコンクリート壁の汚れを落とす事が出来ず、また、安全性に問題があり拭き掃除が出来なかった。
【先行技術文献】
【特許文献】
【０００３】
【特許文献１】特開平１０−１７９９８９号（図１）
【特許文献２】特開２００６−３０７６２０号（図１）
【考案の概要】
【考案が解決しようとする課題】
【０００４】
「特許文献１」の「特開平１０−１７９９８９号」の「物干し装置」は多量の洗濯物をベランダのフェンスや腰壁や駆体壁面等に触れないようにしたもので、フェンス腰壁等の立ち上り部［Ｃ］に沿って立設されている支柱（１１）とこの頂部に配置される干竿（３０）付の竿受けアーム（２０）から構成されるものであり、前記した問題点を解決出来る公知技術の１つではある。しかしながら、構造的にはかなり複雑であり、高価でもあり、簡単に取り外しが出来ず、取り扱い性においても問題点があるものであり、後に説明する本考案とはかなり相違するものである。
【０００５】
また、「特許文献２」の「特開２００６−３０７６２０号」の「ベランダ構造」はベランダの手摺りに干された洗濯物や寝具等が外側から直接見えないようにして地域の景観を悪化させないようにした点に特徴を有するものである。但し、このものも構造が複雑で高価なものであり洗濯物や寝具への汚れ防止やダニ類等の付着を効果的に防止出来るものではなく、本考案とは大きく相違するものである。また、「特許文献１」及び「特許文献２」には共にダニ，シラミ等の駆除には触れていない。
【０００６】
本考案は、以上の問題点や公知技術の問題点を解決し、更に図９乃至図１０の様に構造の異なる形状のベランダに於いても同一形状の商品でベランダ立ち上り部との接触がなく、汚れ付着防止や付着したダニやシラミ類等の排除ができ、取り扱い性がよく、比較的安価に実施出来る寝具類天日干用物干しを提供することを目的とする。
【課題を解決するための手段】
【０００７】
本考案は、以上の目的を達成するために、請求項１の考案は、住宅等のベランダに寝具等を天日干しする際に前記寝具等と前記ベランダ立ち上がり壁との接触を防止して汚れを防ぎ、付着したダニやシラミ類等を排除し、かつ、使い勝手の良い形状の物干しであって、該物干しは、ベランダの立ち上り部の頂面に間隔を介して複数個配置されるつなぎ板と、該つなぎ板上に固定され該つなぎ板より長目の押え板と、前記つなぎ板及び前記押え板のコーナ側を覆って前記押え板に固定され前記立ち上り部の長手方向に沿って配置される略コノ字形状のカバー体とからなり、前記つなぎ板は、前記立ち上り部の前面に弾力性のある素材（例えばゴム）後面に留め具により固定されるものからなることを特徴とする。
【０００８】
また、請求項２の考案は、前記つなぎ板や押え板の間隔が、前記立上がり部に立設する手摺りの支柱に干渉しない寸法で着脱可能な構造のものからなることを特徴とする。
【０００９】
また、請求項３の考案は、前記カバー体はそのコーナ部をＲ形状に形成し寝具類の上げ下げが円滑に出来、寝具類の損傷やキズを防止するものからなることを特徴とする。
【考案の効果】
【００１０】
本考案の請求項１の寝具類天日干用物干しによれば、本考案の物干しはベランダの立ち上り部に直接接触することなく、離れた状態で配置される。これにより、風通しもよく、ベランダからの粉塵等の付着もなく、汚れ防止が出来、太陽光が当りダニ、シラミ類等の付着も排除出来、着脱可能な構造で高齢者や主婦でも取り扱いが容易に出来る、また、製造側としては図６、図７、図８の様な異なった形状のベランダ立ち上がり部でも同一形状の製品で対応できる為、コスト削減が可能となる、また、現在手摺が設置している処ではその手摺が利用でき、安価に施工が出来る、外部の拭き掃除がなくなり安全面での効果も上げることが出来る。
【００１１】
また、本考案の請求項２の寝具類天日干し用物干しによれば、つなぎ板や押え板は手摺りのあるベランダにおける手摺りに干渉しない間隔で配置され本考案の寝具類天日干用物干しの手摺りとの干渉が防止され取り扱い性の向上が図れる。また、現地取付けはドライバー１本で施工でき主婦が着脱することによりこの面でも工事費のコストの削減が可能となる。
【００１２】
また、本考案の請求項３の寝具類天日干用物干しによれば、カバー体はそのコノ字状断面のコーナ部がＲ形状に形成されているため、寝具類の上げ下げが円滑に出来、寝具類の損傷やキズ付きを防止することが出来る。
【図面の簡単な説明】
【００１３】
【図１】本考案の寝具類天日干用物干しの全体構造とベランダへの取り付け形態を示す断面図。
【図２】つなぎ板や押え板の配置構造を示す部分上面図。
【図３】カバー体の構造を示す斜視図。
【図４】つなぎ板の構造を示す斜視図。
【図５】押え板の構造を示す斜視図であって、一本構造（ａ）と分離構造（ｂ）を示す。
【図６】手摺りのないベランダを示す斜視図（ａ）及び側面図（ｂ）。
【図７】丸型手摺りを有するベランダを示す斜視図（ａ）及び側面図（ｂ）。
【図８】角型手摺りを有するベランダを示す斜視図（ａ）及び側面図（ｂ）。
【図９】手摺りのないベランダにおける寝具等の吊り下げ状態を示す模式的側面図。
【図１０】丸型手摺りを有するベランダにおける寝具等の吊り下げ状態を示す模式的側面図。
【考案を実施するための形態】
【００１４】
以下、本考案の寝具類天日干し用物干しの実施の形態は図面を参照して詳述する。なお、以下の説明の前に図６乃至図８により各種のベランダの形態について簡単に説明する。
図６は手摺りのないベランダ４であり、ベランダ４はベース部４ａとこの一端から立ち上がる立ち上り部４ｂ等とからなり、主としてコンクリートから形成されている。なお、図６（ｂ）に示すようにベランダ４のベース台４ａの上面から立ち上り部４ｂの頂面までの高さは約１２００ｍｍのものからなる。寝具類等７は図９に示すように立ち上り部４ｂの頂面を介して吊り下げられて天日干しされる。
【００１５】
図７は丸型手摺り５のあるベランダ４Ａを示す。この場合には図６のベランダ４の立ち上り部４ｂよりも低い立ち上り部４ｂ’から支柱５ａを介して丸パイプ５ｂが長手方向に伸延して配設され、寝具類等７（図９，図１０等に示す）はこの丸パイプ５ｂに図１０に示すように、かけられて吊り下げされて天日干しされる。なお、図７（ｂ）に示すように、ベース部より丸パイプ５ｂまでの高さが約１２００ｍｍとなる。
【００１６】
図８は図７の丸型手摺り５の替わりに四角型手摺り６を設けたベランダ４Ｂを示す。支柱６ａ及び四角パイプ６ｂで配設される。寝具類等７は約１２００ｍｍの高さにある四角パイプ６ｂを介して吊り下げられて天日干しされる。
【実施例１】
【００１７】
次に、本考案の寝具類天日干用物干し１００の概要説明を図１により説明する。
寝具類天日干用物干し１００は大別してカバー体１とつなぎ板２と押え板３とからなり、ベランダ４等の立ち上り部４ａ等の頂面に着脱可能に被覆して配設されるものからなる。図は丸型手摺り５（支柱５ａ，丸パイプ３ｂ）のあるベランダ４Ａが示されている。
【００１８】
図２は図１の寝具類天日干用物干し１００の部分を上面から見た概要平面図である。カバー体１はベランダ４Ａの立ち上り部４ｂ’の長手方向に沿って配置され、一対のものからなり、前後のカバー体１、１の間には隙間が形成されている。
【００１９】
一方、つなぎ板２と押え板３とは重合している板体からなり、細長い板体から形成されている。これ等は間隔を介して等分に配置されているが、その間隔は丸型、四角型手摺り５の支柱５ａと少なくとも干渉しない寸法のものからなる。なお、押え板３の巾寸法はつなぎ板２と同一であるが長さは長寸のものからなる。
【００２０】
図３はカバー体１の形状を示すものであり、コノ字形状のものからなり、そのコーナ部にはＲ型形状部１ａが形成されている。これは寝具等７が円滑に吊り下げ出来るためのものである。
【００２１】
図４はつなぎ板２を示すものである。図示のように左右にＬ型部２ａを形成し、左右のＬ型部２ａ，を上板２ｂで一体的に連結したものからなる。なお、前記のように細巾のものからなる。
【００２２】
図５は押え板３を示すものであり、この押え板３はつなぎ板２の上に乗る細長の板体からなり、図５（ａ）は一体的のものであり、図６（ｂ）は途中にカギ状の連結部３ａを設けた分離型からなる。
【００２３】
次に図１により、前記のカバー体１，つなぎ板２，押え板３等からなる寝具類天日干用物干し１００の組み付け方法を説明する。
まず、ベランダ４Ａの立ち上り部４ｂ’の頂面につなぎ板２を搭載する。このつなぎ板２のＬ型部２ａと立ち上り部４ｂ’の側面との間には隙間があり、この一方の隙間に弾性体８、例えば、ゴムやスポンジを挿入し他方の隙間の部分にはその先端が尖ったボルト又はビス等からなる留め具９を入れる。この留め具９を締めることによりつなぎ板２は立ち上り部４ｂ’上に固定される。
【００２４】
つなぎ板２の上には押え板３を乗せ、例えばスポット溶接等で剥離しないように固定する。
【００２５】
次に、カバー体１を左右に配置し、つなぎ板２や押え板３の端部を覆って位置決めする。このカバー体１は押え板３にビス１０により固定する。
【００２６】
以上により、カバー体１，つなぎ板２，押え板３からなる寝具類天日干用物干し１００の組み付けが終了する。よって、この逆の工程によって寝具類天日干用物干し１００をベランダ４Ａの立ち上り部４ｂ’から取り外すことが出来る。
以上の寝具類天日干用物干し１００の取り付けが終了したら図１に示すようにこの上に寝具類等７等をかぶせて垂下させることにより寝具類等７等の天日干しが可能となる。
【００２７】
以上寝具類天日干用物干し１００を使用することにより、前記のように次の効果が得られる。
（１）寝具類等７を天日干しするために今まで行えなかった寝具類等７と寝具類天日干し用物
干し１００の掃除が雑巾一つで簡単に出来、毎日天気の良い日は布団を暖かくでき、安眠が得られ精神的に安定する。
（２）寝具類等７を天日干しする時下に敷いた大きな布を使用しないので主婦や高齢者の作業
の軽減化が図れる。
（３）寝具類等７を天日干しする事により、ダニやシラミ等の小さな虫類の排除が簡単に出来る。
（４）天日干しにより紫外線が寝具類に当り、太陽光による寝具類の殺菌が可能になる。
（５）外壁の拭き掃除がなくなり、身の安全が図れる。
（６）上の階にある寝室の寝具類を下に運んで天日干しする作業がなくなり主婦の作業の軽減
化に寄与する
【００２８】
本考案の寝具類天日干し用物干し１００は、以上の内容のものからなるがこの内容に限定されるものではなく、同一技術的範疇のものが適用されることは勿論である。
【産業上の利用可能性】
【００２９】
本考案は、あらゆるベランダに対して適用可能であり、その利用範囲は極めて広い。
【符号の説明】
【００３０】
１      カバー体
１ａ    Ｒ形状部
２      つなぎ板
２ａ    Ｌ型部
２ｂ    上板
３      押え板
３ａ    連結部
４      ベランダ
４Ａ    ベランダ
４Ｂ    ベランダ
４ａ    ベース台
４ａ’  ベース台
４ａ”  ベース台
４ｂ    立上り部
４ｂ’  立上り部
４ｂ”  立上り部
５      丸型手摺り
５ａ    支柱
５ｂ    丸パイプ
６ａ    支柱
６ｂ    四角型手摺り
７      寝具類等
８      弾性体
９      留め具
１０    ビス
１１    カバー体ビス留ネジ
１２    つなぎ板のビスまたはボルト留め用穴
１００  寝具類天日干用物干し
【図１】
0003188720.tif 000003
【図２】
0003188720.tif 000004
【図３】
0003188720.tif 000005
【図４】
0003188720.tif 000006
【図５】
0003188720.tif 000007
【図６】
0003188720.tif 000008
【図７】
0003188720.tif 000009
【図８】
0003188720.tif 000010
【図９】
0003188720.tif 000011
【図１０】
0003188720.tif 000012